(57)【要約】【課題】見積り要求の結果応答（見積り書）を短時間で入手でき、仲介業者装置と販売業者装置との間のネットワークの通信性能に影響されにくいリバースオークション方式のネット取引システムを得る。【解決手段】仲介業者装置２０は、ネットワーク４１を介して、購入者端末１０からの見積り要求を受信し、この見積り要求に応じた見積り結果を取得するプログラムを有するモバイルエージェントソフトウエア７０を発行し、販売業者装置５０は、仲介業者装置２０によって発行されたモバイルエージェントソフトウエア７０をネットワーク４２を介して受信し、モバイルエージェントソフトウエア７０を自装置で実行させて見積り結果を取得させると共に見積り結果を含むモバイルエージェントソフトウエア７０を仲介業者装置２０に送信し、仲介業者装置２０から、見積り結果を購入者端末１０に送信するようにしている。【選択図】        図１
2004326585.tif 000002
【特許請求の範囲】
【請求項１】
ネットワークを介して購入者端末と販売業者装置との間でネット取引を行うネット取引システムにおいて、上記ネットワークに接続され、購入者端末からの見積り要求を受信し、移動先で実行されることにより上記見積り要求に応じた見積り結果を取得するモバイルエージェントソフトウエアを発行する仲介業者装置、及びこの仲介業者装置によって発行されたモバイルエージェントソフトウエアを上記ネットワークを介して受信し、上記モバイルエージェントソフトウエアを実行させて上記モバイルエージェントソフトウエアに見積り結果を取得させると共に上記モバイルエージェントソフトウエアを上記仲介業者装置に送信する販売業者装置を備え、上記仲介業者装置は、上記モバイルエージェントソフトウエアが持ち帰った見積り結果を上記購入者端末に送信することを特徴とするネット取引システム。
【請求項２】
上記仲介業者装置は、上記購入者端末から見積り要求を受信するＨＴＴＰサーバと、このＨＴＴＰサーバによって受信された上記見積り要求及びこの見積り要求に対応する販売業者装置の情報を管理する購入管理手段と、この購入管理手段により管理される上記見積り要求及び販売業者装置の情報に基づきモバイルエージェントソフトウエアを発行する仲介業者モバイルエージェントサーバとを有することを特徴とする請求項１記載のネット取引システム。
【請求項３】
上記仲介業者モバイルエージェントサーバは、上記販売業者装置から送信されるモバイルエージェントソフトウエアを受信すると共に、受信したモバイルエージェントソフトウエアの持ち帰った見積り結果を上記ＨＴＴＰサーバにより上記購入者端末に送信することを特徴とする請求項１または請求項２記載のネット取引システム。
【請求項４】
上記販売業者装置は、見積りに用いられる見積り情報と、上記仲介業者装置から送信されたモバイルエージェントソフトウエアを受信し、上記モバイルエージェントソフトウエアを実行させる販売業者モバイルエージェントサーバとを有し、上記モバイルエージェントソフトウエアは、上記見積り情報を参照することにより見積り要求に対する見積り結果を取得することを特徴とする請求項１〜請求項３のいずれかに記載のネット取引システム。
【請求項５】
上記販売業者モバイルエージェントサーバは、上記見積り結果を含む上記モバイルエージェントソフトウエアを上記仲介業者装置に送信することを特徴とする請求項４記載のネット取引システム。
【請求項６】
上記販売業者装置及び仲介業者装置は、送信済みのモバイルエージェントソフトウエアを削除することを特徴とする請求項１〜請求項５のいずれかに記載のネット取引システム。
【請求項７】
上記販売業者装置は、ネットワークに複数台が接続され、仲介業者装置は、複数のモバイルエージェントソフトウエアをそれぞれの販売業者装置宛てに発行して、上記各モバイルエージェントソフトウエアは、それぞれの販売業者装置から見積り結果を上記仲介業者装置に持ち帰ることを特徴とする請求項１〜請求項６のいずれかに記載のネット取引システム。
【請求項８】
上記販売業者装置は、ネットワークに複数台が接続され、仲介業者装置によって発行されたモバイルエージェントソフトウエアは、上記複数の販売業者装置を順次移動され、上記複数の販売業者装置の見積り結果を上記仲介業者装置に持ち帰ることを特徴とする請求項１〜請求項６のいずれかに記載のネット取引システム。
【請求項９】
上記仲介業者装置は、ネットワークに複数台が接続されると共に、上記モバイルエージェントソフトウエアには、見積り結果の持ち帰り先の仲介業者装置の情報が含まれていることを特徴とする請求項１〜請求項８のいずれかに記載のネット取引システム。
【請求項１０】
ネットワークを介して購入者端末から見積り要求を受信するＨＴＴＰサーバ、このＨＴＴＰサーバによって受信された上記見積り要求及びこの見積り要求に対応する販売業者装置の情報を管理する購入管理手段、及びこの購入管理手段により管理される上記見積り要求及び販売業者装置の情報に基づき、ネットワークを介した移動先で実行されることにより上記見積り要求に応じた見積り結果を取得するモバイルエージェントソフトウエアを上記販売業者装置に発行する仲介業者モバイルエージェントサーバを備えたことを特徴とする仲介業者装置。
【請求項１１】
上記仲介業者モバイルエージェントサーバは、上記見積り要求に応じた見積り結果を取得した上記モバイルエージェントソフトウエアを上記販売業者装置から受信すると共に、受信したモバイルエージェントソフトウエアの持ち帰った見積り結果を上記ＨＴＴＰサーバにより上記購入者端末に送信することを特徴とする請求項１０記載のネット取引システム。
【発明の詳細な説明】
【０００１】
【発明の属する技術分野】
この発明は、購入者端末と仲介業者装置と販売業者装置とによるリバースオークション方式のネット取引システム、及びネット取引システムの購入者端末と販売業者装置とを仲介する仲介業者装置に関するものである。
【０００２】
【従来の技術】
現在、通信ネットワークであるインターネットが広範囲に普及しており、一般の商品購入者と販売業者とがインターネットでデータ通信して、商品売買を成立させるネット取引も一般的になりつつある。このようなネット販売では、一般購入者が購入者端末からインターネットを介して販売業者の販売業者装置にアクセスし、そこに提示される商品を指定して購入することが一般的である。しかし、旅券や保険や不動産などは高価である上に不確定要素も多いため、一般購入者としては、複数の販売業者に見積りを作成させて比較することが好適である。（特許文献１、特許文献２参照）
【０００３】
【特許文献１】
特開平１１−６６１６８号公報（第２〜３頁、図１、図２）
【特許文献２】
米国特許第５，７９４，２０７号（図１）
【０００４】
【発明が解決しようとする課題】
リバースオークション方式のネット取引システムでは、従来の方法のように、仲介業者が介在するのが、購入者の要求ニーズの集約など、システム全体からみると効率的である。しかし、購入者からの要求が今後ますます増大する中では、このようなシステムでは次の問題が発生するという課題があった。
（１）仲介業者装置・販売業者装置では、商品情報のやりとりにオペレータが介在せざるを得ないので、購入者が必要とする見積りの入手にどうしても時間がかかってしまう。
（２）仲介業者は、販売業者との間で必要な商品情報のやりとりを行うが、特定の時間帯や特定日に購入者からの要求が集中する場合があり、このためネットワークの通信性能がボトルネックとなり、待ち時間が発生し、購入者に対するサービスの低下につながる。
（３）使用するネットワークが公衆回線等のＷＡＮである場合、上記（２）のようにネットワークを頻繁に利用すると、それだけコストが掛かることになる。
（４）仲介業者装置と購入者端末との間において、見積り要求とその実行結果の返送は、決まった通信路を形成している。つまり、見積り書は要求を発行した仲介業者装置にしか戻らない。このため、仲介業者の負荷が高い場合には購入者端末からの接続がしにくく、所望する見積り結果をリアルタイムで受け取ることが難しい。
【０００５】
この発明は、上記のような課題を解決するためになされたものであり、購入者端末では見積り要求の結果応答（見積り書）を短時間で入手でき、仲介業者装置と販売業者装置との間のネットワークの通信性能に影響されにくいリバースオークション方式のネット取引システムを得ることを第一の目的とする。
また、ネット取引システムの購入者端末に見積り要求の結果応答を短時間で入手させ、販売業者装置との間のネットワークの通信性能に影響されることなく購入者端末と販売業者装置とを仲介する仲介業者装置を得ることを第二の目的とする。
【０００６】
【課題を解決するための手段】
この発明に係わるネット取引システムにおいては、ネットワークを介して購入者端末と販売業者装置との間でネット取引を行うネット取引システムにおいて、ネットワークに接続され、購入者端末からの見積り要求を受信し、移動先で実行されることにより見積り要求に応じた見積り結果を取得するモバイルエージェントソフトウエアを発行する仲介業者装置、及びこの仲介業者装置によって発行されたモバイルエージェントソフトウエアをネットワークを介して受信し、モバイルエージェントソフトウエアを実行させてモバイルエージェントソフトウエアに見積り結果を取得させると共にモバイルエージェントソフトウエアを仲介業者装置に送信する販売業者装置を備え、仲介業者装置は、モバイルエージェントソフトウエアが持ち帰った見積り結果を購入者端末に送信するものである。
また、この発明に係わる仲介業者装置においては、ネットワークを介して購入者端末から見積り要求を受信するＨＴＴＰサーバ、このＨＴＴＰサーバによって受信された見積り要求及びこの見積り要求に対応する販売業者装置の情報を管理する購入管理手段、及びこの購入管理手段により管理される見積り要求及び販売業者装置の情報に基づき、ネットワークを介した移動先で実行されることにより見積り要求に応じた見積り結果を取得するモバイルエージェントソフトウエアを販売業者装置に発行する仲介業者モバイルエージェントサーバを備えたものである。
【０００７】
【発明の実施の形態】
実施の形態１．
以下、この発明の実施の形態１を図１に基づいて説明する。
図１は、この発明の実施の形態１によるリバースオークション方式のネット取引システムを示すシステム構成図である。
図１において、購入者端末１０は、購入者が見積り要求・見積り書取得を行うものであり、図では一例として１０ａ、１０ｂ、１０ｃの３台を示している。仲介業者装置２０は、見積り要求を発行する。図では一例として２０の１台を示している。
【０００８】
仲介業者装置２０は、次のように構成されている。
ＨＴＴＰサーバ２１は、購入者端末１０から見積り要求を受け、その応答として購入者端末１０に表示するための見積り結果（販売見積）を送信する。購入情報２２は、各種の見積り要求を格納する。購入管理機能２３（購入管理手段）は、ＨＴＴＰサーバ２１から渡された見積り要求に対応する購入情報と販売業者装置情報と実行結果返送先情報とを決定する。仲介業者モバイルエージェントサーバ２４は、購入管理機能２３から渡される購入情報と販売業者装置情報と実行結果返送先情報とを合わせてモバイルエージェントソフトウェア７０として生成し、販売業者装置５０へ送信する。仲介業者端末３０は、仲介業者が購入管理機能２３で保持している販売業者装置情報をメンテナンスする。
通信ネットワーク４１は、購入者端末１０と仲介業者装置２０とを接続し、通信ネットワーク４２は、モバイルエージェントソフトウェア７０を転送する。
【０００９】
販売業者装置５０は、要求された見積り処理を行う。図では一例として５０ａ、５０ｂの２台を示している。販売業者装置５０は、次のように構成されている。販売業者モバイルエージェントサーバ５１は、転送されてきたモバイルエージェントソフトウェア７０を受信し、実行させる。販売見積機能５２は、標準の販売見積の管理、特別仕様の見積作成を行う。販売見積５３は、販売業者装置５０が標準的に備えており、モバイルエージェントソフトウェア７０は、この情報を元に要求された見積り処理を行う。販売業者端末６０は、販売業者が販売見積管理機能５２を通して販売情報５３のメンテナンスを行い、標準外の見積り要求に対する見積り指示を販売見積管理機能５２に対して行う。
【００１０】
図２は、この発明の実施の形態１によるリバースオークション方式のネット取引システムの処理を示す説明図である。
図３は、この発明の実施の形態１によるリバースオークション方式のネット取引システムの処理を示すフローチャートである。
【００１１】
次に、図１に示されるネット取引システムの動作について、図２の処理説明図及び図３のフローチャートをもとに説明する。
仲介業者装置２０において、通信ネットワーク４１を介して購入者端末１０の１つからＨＴＴＰサーバ２１に対して見積り要求を行い、ＨＴＴＰサーバ２１は、この要求を購入管理機能２３に渡す（ステップＳ１）。この要求には、見積り要求結果の返送先情報が含まれる。購入管理機能２３は、受け取った見積り要求に対応した購入情報２２を作成し（ステップＳ２）、販売業者装置情報や見積り実行結果の返送先情報を合わせて（以下、見積要求情報とする）、仲介業者モバイルエージェントサーバ２４に渡す（ステップＳ３）。仲介業者モバイルエージェントサーバ２４は、渡された見積要求情報を元にモバイルエージェントソフトウェア７０を生成し（ステップＳ４）、通信ネットワーク４２を通して販売業者装置５０上の販売業者モバイルエージェントサーバ５１へ送信する（ステップＳ５）。この後、仲介業者装置２０上のモバイルエージェントソフトウェア７０は削除される（ステップＳ６）。
【００１２】
販売業者装置５０上の販売業者モバイルエージェントサーバ５１は、通信ネットワーク４２を通して転送されてきたモバイルエージェントソフトウェア７０を受信し（ステップＳ７）、実行させる（ステップＳ８）。これにより、モバイルエージェントソフトウェア７０は、標準の販売見積５３（見積り情報）を参照し、要求された見積り結果を得る（ステップＳ９）。標準の販売見積５３に要求された見積りに合致する情報がない場合、モバイルエージェントソフトウェア７０は、販売見積管理機能５２に対して特別仕様の販売見積の作成を要求する（ステップＳ１０）。販売見積管理機能５２は、特別仕様に対する販売見積を作成し、モバイルエージェントソフトウェア７０に回答する（ステップＳ１１）と同時に、当該情報を標準の販売見積５３に追加更新する（ステップＳ１２）。販売業者モバイルエージェントサーバ５１は、モバイルエージェントソフトウェア７０の実行が完了すると、見積り結果である販売見積５３をモバイルエージェントソフトウェア７０に付加し（ステップＳ１３）、仲介業者装置２０上の仲介業者モバイルエージェントサーバ２４に送信する（ステップＳ１４）。この後、販売業者装置５０上のモバイルエージェントソフトウェア７０は削除される（ステップＳ１５）。
【００１３】
仲介業者装置２０上の仲介業者モバイルエージェントサーバ２４は、通信ネットワーク４２を通して転送されてきたモバイルエージェントソフトウェア７０を受信し（ステップＳ１６）、付加されてきた見積り実行結果を購入管理機能２３に渡す（ステップＳ１７）。この後、仲介業者装置２０上のモバイルエージェントソフトウェア７０は削除される（ステップＳ１８）。購入管理機能２３は、見積り実行結果を受け取ると、これを購入者端末１０が見積り書として表示可能な形態に整形し（ステップＳ１９）、ＨＴＴＰサーバ２１を通して、通信ネットワーク４１を介して購入者端末１０へ渡す（ステップＳ２０）。
【００１４】
図１のシステムでは、仲介業者装置２０の処理に関しては、販売業者装置情報の更新を除き、仲介業者の操作は不要である。また、販売業者装置５０の処理に関しては、販売見積５３に登録されている範囲での見積り要求の場合には、同様に販売業者の操作は不要である。一方、特別仕様の見積り要求の場合、１回目は販売業者の操作が必須であるが、２回目以降は当該情報が標準として販売見積５３に登録されるため、同様に販売業者の操作は不要となる。
【００１５】
図４は、この発明の実施の形態１によるリバースオークション方式のネット取引システムのモバイルエージェントソフトウェアの構造を示す図である。
図４において、モバイルエージェントソフトウェア７０は、大きく３つの部分に分けられる。第１の部分は、モバイルエージェントソフトウェア７０の移動・実行を管理する情報ファイルである。モバイルエージェントソフトウェア７０を構成する販売業者情報、実行プログラム名から構成される。複数の実行プログラムを登録することが可能である。なお、「実行プログラム名」に「＊＊＊」を設定することにより、モバイルエージェントソフトウェア７０の最終移動先を決定する。通常は、モバイルエージェントソフトウェア７０を生成する場合にデフォルトで見積り要求発行元の仲介業者装置２０が設定される。
【００１６】
第２の部分は、モバイルエージェントソフトウェア７０の本体部分であり、購入者端末１０からの見積り要求に対応して購入者管理機能２３から取り出された販売見積検索プログラム（検索・作成要求・取得）の実行可能ファイルで構成される。
第３の部分は、モバイルエージェントソフトウェア７０の実行結果が格納されるファイルであり、見積り処理終了ごとに結果ファイルが付加されていく。
【００１７】
実施の形態１によれば、以上のことから、従来のシステムと比較して、見積り要求の結果応答（見積り書）を短時間で入手できるので、購入者に対して多大なサービスの向上が見込まれる。
また、見積り要求を行う販売業者装置５０の選択は、購入者端末１０からの見積り情報と、購入管理機能２３が管理している販売業者装置情報から自動的に行われるために販売業者の重複や漏れがなくなり、仲介業者でのチェック作業が不要となる効果もある。
【００１８】
実施の形態２．
以下、この発明の実施の形態２におけるリバースオークション方式のネット取引システムの動作を図５の処理説明図に基づいて説明する。
図５は、この発明の実施の形態２によるリバースオークション方式のネット取引システムの処理を示す説明図である。
図６は、この発明の実施の形態２によるリバースオークション方式のネット取引システムのモバイルエージェントソフトウェア７０ａの構造を示す図である。
図７は、この発明の実施の形態２によるリバースオークション方式のネット取引システムのモバイルエージェントソフトウェア７０ｂの構造を示す図である。
【００１９】
図５においては、モバイルエージェントソフトウエアは、同時に複数の販売業者装置宛てに発行されるものである。
ステップＳ１の処理は、実施の形態１の図２、図３と同様であるが、購入者端末１０からの見積り要求が、複数の販売業者装置５０ａ、５０ｂに対する内容のもので、かつ同時処理の要求であった場合には、購入管理機能２３は、要求を受けた販売業者装置５０ごとに、この要求に対応するモバイルエージェントソフトウェア７０ａ、７０ｂを生成するための情報を取り出し（ステップＳ２）、仲介業者モバイルエージェントサーバ２４に渡す（ステップＳ３）。仲介業者モバイルエージェントサーバ２４は、要求を受けた販売業者装置５０ごとに、この要求に対応するモバイルエージェント７０ａ、７０ｂを生成する（ステップＳ４）。この要求は、同種の商品に対するものでも、異種の商品に対するものでもよい。つまり生成されるモバイルエージェントソフトウェア７０ａ、７０ｂは、移動先だけが異なり見積り対象の商品はまったく同じものでもよいし、見積り対象の商品は異なるものでもよい。図６、図７に、この場合のモバイルエージェントソフトウェアの構造例を示す。
【００２０】
通信ネットワーク４２を通して仲介業者モバイルエージェントサーバ２４は、生成したモバイルエージェントソフトウェア７０ａ、７０ｂを、それぞれ複数の販売業者装置５０ａ、５０ｂに送信する（ステップＳ５）。転送されたモバイルエージェントソフトウェア７０ａ、７０ｂの動作は、実施の形態１の説明と同じであり、図３のステップＳ６〜ステップＳ１５の処理をそれぞれ実行する。
【００２１】
仲介業者モバイルエージェントサーバ２４は、付加されてきた見積り実行結果を複数のモバイルエージェントソフトウェア７０ａ、７０ｂから受け取り（ステップＳ１６）、購入管理機能２３に渡す（ステップＳ１７）。この後、モバイルエージェントソフトウェア７０ａ、７０ｂは、削除される（ステップＳ１８）。購入管理機能２３は、受け取った複数の見積り実行結果を１つにまとめ、これを購入者端末１０が見積り書として表示可能な形態に整形し（ステップＳ１９）、ＨＴＴＰサーバ２１を通して、通信ネットワーク４１を介して購入者端末１０へ渡す（ステップＳ２０）。
【００２２】
実施の形態２によれば、以上のように、購入者端末１０からの見積り要求の内容によっては、複数の販売業者装置に対して販売見積を取る場合も可能であり、購入管理機能２３は、自身が保持している販売業者装置情報を元に複数のモバイルエージェントソフトウェアとして同時に生成・実行を行わせることにより、相見積りを同時に行い、見積り処理の効率化を図ることができる。
【００２３】
実施の形態３．
以下、この発明の実施の形態３におけるリバースオークション方式のネット取引システムの動作を図８の処理説明及び図９のフローチャートをもとに説明する。
図８は、この発明の実施の形態３によるリバースオークション方式のネット取引システムの処理を示す説明図である。
図９は、この発明の実施の形態３によるリバースオークション方式のネット取引システムの処理を示すフローチャートである。
図１０は、この発明の実施の形態３によるリバースオークション方式のネット取引システムのモバイルエージェントソフトウェアの構造を示す図である。
【００２４】
図８、図９においては、モバイルエージェントソフトウエアは、複数の販売業者装置を順次転送されるものである。
ステップＳ１の処理は、実施の形態１の図２、図３と同様であるが、購入者端末１０からの見積り要求が複数の販売業者装置５０ａ、５０ｂに対する内容のもので、特に同時処理を必要としない要求であった場合には、購入管理機能２３は、要求を受けた販売業者装置５０ごとに、この要求に対応するモバイルエージェントソフトウェア７０を生成するための情報を取り出し（ステップＳ２）、仲介業者モバイルエージェントサーバ２４に渡す（ステップＳ３）。仲介業者モバイルエージェントサーバ２４は、この要求に対応するモバイルエージェントソフトウェア７０を生成する（ステップＳ４）。図１０に、この場合のモバイルエージェントソフトウェアの構造例を示す。
【００２５】
通信ネットワーク４２を通して仲介業者モバイルエージェントサーバ２４は、生成したモバイルエージェントソフトウェア７０を最初の販売業者装置５０ａに送信する（ステップＳ５）。転送されたモバイルエージェントソフトウェア７０の動作は、実施の形態１の説明と同じであり、図３のステップＳ６〜ステップＳ１３をそれぞれ実行する。販売業者装置５０ａ上の販売業者モバイルエージェントサーバ５１ａは、モバイルエージェントソフトウェア７０を次の販売業者装置５０ｂに送信する（ステップＳ２１）。この後、販売業者装置５０ａ上のモバイルエージェントソフトウェア７０は削除される（ステップＳ２２）。
販売業者装置５０ｂに転送されたモバイルエージェントソフトウェア７０の動作は実施の形態１の説明と同じであり、図３のステップＳ８〜ステップＳ１３の処理をそれぞれ実行する。販売業者装置５０ｂ上の販売業者モバイルエージェントサーバ５１ｂは、モバイルエージェントソフトウェア７０を仲介業者装置２０上の仲介業者モバイルエージェントサーバ２４に送信する（ステップＳ２３）。この後、販売業者装置５０ｂ上のモバイルエージェントソフトウェア７０は、削除される（ステップＳ２４）。
【００２６】
仲介業者モバイルエージェントサーバ２４は、付加されてきた複数の見積り実行結果をモバイルエージェントソフトウェア７０から受け取り（ステップＳ１６）、購入管理機能２３に渡す（ステップＳ１７）。この後、モバイルエージェントソフトウェア７０は、削除される（ステップＳ１８）。購入管理機能２３は、受け取った複数の見積り実行結果を、購入者端末１０が見積もり書として表示可能な形態に整形し（ステップＳ１９）、ＨＴＴＰサーバ２１を通して、通信ネットワーク４１を介して購入者端末１０へ渡す（ステップＳ２０）。
【００２７】
このような販売業者装置５０ａ、５０ｂの間を転送されるモバイルエージェントソフトウェア７０の構造を図１０に示す。図４とほとんど同じであるが大きく異なるのは、第１の部分であるモバイルエージェントソフトウェア７０の移動・実行を管理する情報ファイルである。図４では、モバイルエージェントソフトウェア７０を構成する販売見積検索処理プログラムの移動場所が、戻り場所を除き１つだけであったのに対し、図１０では複数個設定されていることである。この情報により、モバイルエージェントソフトウェア７０は、販売業者モバイルエージェントサーバ５１ａ、５１ｂにより、次々に販売業者装置を転送され、要求された見積り処理を実行できるのである。
【００２８】
実施の形態３によれば、以上のように、購入者端末からの見積り要求が、複数の販売業者装置に対して仲介業者装置を経由せずに連続して実行できるので、仲介業者装置と複数の販売業者装置との間の通信性能に殆ど依存しない環境を構築でき、スムーズな見積り処理を実現できる。
【００２９】
実施の形態４．
以下、この発明の実施の形態４におけるリバースオークション方式のネット取引システムの動作を図１１の処理説明図及び図１２のフローチャート図に基づいて説明する。
図１１は、この発明の実施の形態４によるリバースオークション方式のネット取引システムの処理を示す説明図である。
図１２は、この発明の実施の形態４によるリバースオークション方式のネット取引システムの処理を示すフローチャートである。
図１３は、この発明の実施の形態４によるリバースオークション方式のネット取引システムのモバイルエージェントソフトウェアの構造を示す図である。
【００３０】
図１１、図１２においては、仲介業者装置が複数示されている。
ステップＳ１の処理は、実施の形態１の図２、図３と同様であるが、購入者端末１０からの見積り要求の実行結果送付先が仲介業者装置２０ｂとなっているものである。図１３に、この場合のモバイルエージェントソフトウェアの構造例を示す。
モバイルエージェントソフトウェア７０の生成及び転送先での動作は、実施の形態１の説明と同じであり、図３のステップＳ２〜ステップＳ１３の処理を実行する。販売業者装置５０上の販売業者モバイルエージェントサーバ５１は、モバイルエージェントソフトウェア７０を実行させ、実行結果を転送先の仲介業者装置２０ｂ上の仲介業者モバイルエージェントサーバ２４ｂに送信する（ステップＳ２５）。販売業者装置５０上のモバイルエージェントソフトウェア７０は、削除される（ステップＳ１５）。さらに図３のステップＳ１６〜ステップＳ２０の処理を実行する。
【００３１】
実施の形態４によれば、以上のように、購入者端末からの見積り要求の実行結果を他の仲介業者装置に転送することができる。これにより、当該仲介業者装置の高負荷などが予想される場合に見積り結果を別の負荷の低い仲介業者装置から受け取れるので、ネット取引システムを柔軟に構築することができる。
【００３２】
【発明の効果】
この発明は、以上説明したように、ネットワークを介して購入者端末と販売業者装置との間でネット取引を行うネット取引システムにおいて、ネットワークに接続され、購入者端末からの見積り要求を受信し、移動先で実行されることにより見積り要求に応じた見積り結果を取得するモバイルエージェントソフトウエアを発行する仲介業者装置、及びこの仲介業者装置によって発行されたモバイルエージェントソフトウエアをネットワークを介して受信し、モバイルエージェントソフトウエアを実行させてモバイルエージェントソフトウエアに見積り結果を取得させると共にモバイルエージェントソフトウエアを仲介業者装置に送信する販売業者装置を備え、仲介業者装置は、モバイルエージェントソフトウエアが持ち帰った見積り結果を購入者端末に送信するので、購入者端末は、見積り要求に対する見積り結果を短時間で入手することができる。
【００３３】
また、ネットワークを介して購入者端末から見積り要求を受信するＨＴＴＰサーバ、このＨＴＴＰサーバによって受信された見積り要求及びこの見積り要求に対応する販売業者装置の情報を管理する購入管理手段、及びこの購入管理手段により管理される見積り要求及び販売業者装置の情報に基づき、ネットワークを介した移動先で実行されることにより見積り要求に応じた見積り結果を取得するモバイルエージェントソフトウエアを販売業者装置に発行する仲介業者モバイルエージェントサーバを備えたので、購入者端末に、見積り要求に対する見積り結果を短時間で入手させることができる。
【図面の簡単な説明】
【図１】この発明の実施の形態１によるリバースオークション方式のネット取引システムを示すシステム構成図である。
【図２】この発明の実施の形態１によるリバースオークション方式のネット取引システムの処理を示す説明図である。
【図３】この発明の実施の形態１によるリバースオークション方式のネット取引システムの処理を示すフローチャートである。
【図４】この発明の実施の形態１によるリバースオークション方式のネット取引システムのモバイルエージェントソフトウェアの構造を示す図である。
【図５】この発明の実施の形態２によるリバースオークション方式のネット取引システムの処理を示す説明図である。
【図６】この発明の実施の形態２によるリバースオークション方式のネット取引システムのモバイルエージェントソフトウェア７０ａの構造を示す図である。
【図７】この発明の実施の形態２によるリバースオークション方式のネット取引システムのモバイルエージェントソフトウェア７０ｂの構造を示す図である。
【図８】この発明の実施の形態３によるリバースオークション方式のネット取引システムの処理を示す説明図である。
【図９】この発明の実施の形態３によるリバースオークション方式のネット取引システムの処理を示すフローチャートである。
【図１０】この発明の実施の形態３によるリバースオークション方式のネット取引システムのモバイルエージェントソフトウェアの構造を示す図である。
【図１１】この発明の実施の形態４によるリバースオークション方式のネット取引システムの処理を示す説明図である。
【図１２】この発明の実施の形態４によるリバースオークション方式のネット取引システムの処理を示すフローチャートである。
【図１３】この発明の実施の形態４によるリバースオークション方式のネット取引システムのモバイルエージェントソフトウェアの構造を示す図である。
【符号の説明】
１０  購入者端末、２０  仲介業者装置、２１  ＨＴＴＰサーバ、
２２  購入情報、２３  購入管理機能、
２４  仲介業者モバイルエージェントサーバ、３０  仲介業者端末、
４１，４２  通信ネットワーク、５０  販売業者装置、
５１  販売業者モバイルエージェントサーバ、５２  販売見積管理機能、
５３  販売見積、６０  販売業者端末、
７０  モバイルエージェントソフトウェア。
【図１】
2004326585.tif 000003
【図２】
2004326585.tif 000004
【図３】
2004326585.tif 000005
【図４】
2004326585.tif 000006
【図５】
2004326585.tif 000007
【図６】
2004326585.tif 000008
【図７】
2004326585.tif 000009
【図８】
2004326585.tif 000010
【図９】
2004326585.tif 000011
【図１０】
2004326585.tif 000012
【図１１】
2004326585.tif 000013
【図１２】
2004326585.tif 000014
【図１３】
2004326585.tif 000015